(57)【要約】【課題】筒状部から光を出射する照明器具に取り付けられる光制御部材であって、筒状部と光制御部材との間からの光漏れを抑制できる光制御部材を提供する。【解決手段】筒状部１０から光を出射する照明器具２に保持される光制御部材８であって、筒状部１０の内側面１０１を覆う筒状の内筒部８１と、筒状部１０の外側面１０２を覆う筒状の外筒部８２とを備え、内筒部８１の端部と外筒部８２の端部とが接続された接続部８５を有し、対向して設けられた内筒部８１と外筒部８２との間に空間８３が設けられていることを特徴とする。【選択図】図３
2017084729.tif 000002
【特許請求の範囲】
【請求項１】
筒状部から光を出射する照明器具に保持される光制御部材であって、
前記筒状部の内側面を覆う筒状の内筒部と、
前記筒状部の外側面を覆う筒状の外筒部とを備え、
前記内筒部と前記外筒部とが対向するとともに、前記内筒部の端部と前記外筒部の端部とが接続された接続部を有し、対向して設けられた前記内筒部と前記外筒部との間に空間が設けられていることを特徴とする
光制御部材。
【請求項２】
前記内筒部及び前記外筒部は、前記空間に前記筒状部が挿入されて前記照明器具に保持される
請求項１に記載の光制御部材。
【請求項３】
前記内筒部及び前記外筒部は、エラストマーを使用材料として含む
請求項１又は２に記載の光制御部材。
【請求項４】
前記内筒部の内側面は、黒色系の表面を有する
請求項１〜３のいずれか１項に記載の光制御部材。
【請求項５】
前記内筒部は、内側面に段差部を備える
請求項１〜４のいずれか１項に記載の光制御部材。
【請求項６】
請求項１〜５のいずれか１項に記載の光制御部材と、
前記照明器具とを備える
照明装置。
【請求項７】
前記内筒部及び前記外筒部の少なくとも一方は、前記筒状部に係止されるための被係止部を備え、
前記照明器具は、前記被係止部を係止する係止部を備える
請求項６に記載の照明装置。
【請求項８】
前記外筒部は、摩擦力によって前記筒状部に保持される
請求項６又は７に記載の照明装置。
【請求項９】
前記外筒部の内径は、前記筒状部の光出射側端部における外径以下である
請求項６〜８のいずれか１項に記載の照明装置。
【請求項１０】
前記内筒部と前記外筒部とが接続される接続部と、前記筒状部の光出射側端部との間に、空隙が形成される
請求項６〜９のいずれか１項に記載の照明装置。
【請求項１１】
前記内筒部の内側面に配置され、前記内筒部の内側面を前記内筒部の内側から外側向きに押圧する弾性部材をさらに備える
請求項６〜１０のいずれか１項に記載の照明装置。
【発明の詳細な説明】
【技術分野】
【０００１】
本発明は、筒状部から光を出射する照明器具に取り付けられる光制御部材、及び、当該光制御部材を備える照明装置に関する。
【背景技術】
【０００２】
従来、筒状部から光を出射するスポットライトなどの照明器具において、当該筒状部に取り付けられ、出射光の配光などを制御するフードなどの光制御部材が知られている（特許文献１など参照）。
【０００３】
特許文献１に開示されたスポットライトにおいては、筒状のフードがスポットライトの筒状部の内側面に嵌め合わされる。特許文献１に開示されたフードをスポットライトに取り付けることにより、スポットライトの配光を制御することができる。
【先行技術文献】
【特許文献】
【０００４】
【特許文献１】特開２０１０−２５１２０７号公報
【発明の概要】
【発明が解決しようとする課題】
【０００５】
しかしながら、特許文献１に開示されたフードをスポットライトに取り付ける場合、フードとスポットライトとの間に隙間が形成されるため、当該隙間から光が漏れるという問題が発生し得る。
【０００６】
そこで、本発明では、筒状部から光を出射する照明器具に取り付けられる光制御部材であって、筒状部と光制御部材との間からの光漏れを抑制できる光制御部材、及び、当該光制御部材を備える照明装置を提供する。
【課題を解決するための手段】
【０００７】
上記課題を解決するために、本発明に係る光制御部材の一態様は、筒状部から光を出射する照明器具に保持される光制御部材であって、前記筒状部の内側面を覆う筒状の内筒部と、前記筒状部の外側面を覆う筒状の外筒部とを備え、前記内筒部と前記外筒部とが対向するとともに、前記内筒部の端部と前記外筒部の端部とが接続された接続部を有し、対向して設けられた前記内筒部と前記外筒部との間に空間が設けられていることを特徴とする。
【発明の効果】
【０００８】
本発明によれば、筒状部から光を出射する照明器具に取り付けられる光制御部材であって、筒状部と光制御部材との間からの光漏れを抑制できる光制御部材、及び、当該光制御部材を備える照明装置を提供することができる。
【図面の簡単な説明】
【０００９】
【図１】図１は、実施の形態１に係る照明装置の外観を示す斜視図である。
【図２】図２は、実施の形態１に係る照明装置の一部が分解された状態における断面斜視図である。
【図３】図３は、実施の形態１に係る照明装置の一部分解断面図である。
【図４】図４は、実施の形態１に係る照明装置の断面図である。
【図５】図５は、実施の形態１に係る照明装置における要部の拡大断面図である。
【図６】図６は、実施の形態２に係る照明装置の一部分解斜視図である。
【図７】図７は、実施の形態２に係る照明装置の断面斜視図である。
【発明を実施するための形態】
【００１０】
以下、本発明の実施の形態について、図面を参照しながら説明する。なお、以下に説明する実施の形態は、いずれも本発明の一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
（実施の形態１）
［１−１．照明装置の全体構成］
まず、実施の形態１に係る照明装置の全体構成の概要について、図面を用いて説明する。
【００１３】
図１は、本実施の形態に係る照明装置１の外観を示す斜視図である。
【００１４】
なお、各図において、照明装置１の光軸Ｊに平行な方向をｚ軸方向、光軸Ｊに垂直で互いに直交する２つの方向をｘ軸方向及びｙ軸方向としている。
【００１５】
図１に示されるように、本実施の形態に係る照明装置１は、照明器具２と、光制御部材８とを備える。
【００１６】
図１に示される照明器具２は、筒状部から光を出射する器具である。本実施の形態では、照明器具２は、スポットライトであり、器具本体３と、アーム４と、電源ボックス５とを備える。
【００１７】
図１に示される電源ボックス５は、器具本体３に電力を供給する電源回路が内蔵された筐体である。本実施の形態では、電源ボックス５に内蔵された電源回路は、電源ボックス５の外部から供給された交流電力を直流電力に変換し、当該直流電力を器具本体３に供給する。当該直流電力はリード線（不図示）を介して器具本体３に供給される。当該リード線の一端は電源ボックス５内の電源回路に接続され、他端は器具本体３に接続される。当該リード線のうち、器具本体３と電源ボックス５との間の部分は、アーム４の内部に配置される。
【００１８】
電源ボックス５の外壁部分は、金属材料、樹脂材料などを使用材料として含む。本実施の形態では、例えば、当該外壁部分は、アルミニウムで形成される。
【００１９】
アーム４は、一端部が電源ボックス５に接続され、かつ、他端部が器具本体３に接続される部材である。本実施の形態では、アーム４は器具本体３及び電源ボックス５に回転自在に取り付けられる。これにより、照明装置１の光軸方向を調整することができる。アーム４の内部には、アーム４の長手方向に沿って挿通孔（不図示）が形成されている。挿通孔には、リード線が挿入され、当該リード線によって電源ボックス５から器具本体３に電力が供給される。
【００２０】
アーム４は、金属材料を使用材料として含む。本実施の形態では、アーム４は、例えばアルミダイカスト工程を経て形成される。
【００２１】
器具本体３は、照明器具２の光出射部である。器具本体３は、アーム４に接続される。器具本体３には、アーム４内に挿入されたリード線を介して電源ボックス５から電力が供給される。器具本体３の詳細構成については、後述する。
【００２２】
光制御部材８は、筒状部から光を出射する照明器具２に取り付けられる部材である。本実施の形態では、光制御部材８は、照明器具２の光出射部におけるグレアを抑制するフードである。光制御部材８の詳細構成については後述する。
【００２３】
［１−２．照明装置の詳細構成］
続いて、図１に示される照明装置１の器具本体３及び光制御部材８について図面を用いて説明する。
【００２４】
図２は、本実施の形態に係る照明装置１の一部が分解された状態における断面斜視図である。また、図２においては、照明装置１のうち、光制御部材８及び筒体６０が分解されている。
【００２５】
図３は、本実施の形態に係る照明装置１の一部分解断面図である。
【００２６】
図４は、本実施の形態に係る照明装置１の断面図である。
【００２７】
図５は、本実施の形態に係る照明装置１における要部の拡大断面図である。図５は、図４に示される破線枠Ｖで囲まれた部分の拡大図である。
【００２８】
図２〜図５には、照明装置１の光軸Ｊを通り、ｚｘ平面に平行な平面による断面が示されている。
【００２９】
図２〜図４に示されるように、本実施の形態に係る器具本体３は、筒状部１０、基台２０、光源３０、取付部材３２、接続部材３６、反射部材４０、光学部材５０及び筒体６０を備える。以下、器具本体３の各構成要素及び光制御部材８について説明する。
【００３０】
［１−２−１．筒状部］
筒状部１０は、図２に示されるように、光源３０が内部に配置される略筒状の部材である。本実施の形態では、筒状部１０は、光源３０からの光を外部に出射する略円筒状の部材である。筒状部１０は、図２〜図４に示されるように、開口部１１を備える。開口部１１は、筒状部１０の光出射側（すなわち、各図のｚ軸方向正側）に位置する。
【００３１】
図２〜図４に示されるように、筒状部１０の内部には、光源３０に加えて、基台２０、反射部材４０、光学部材５０、筒体６０などが配置される。
【００３２】
図５に示されるように、筒状部１０の開口部１１付近の内側面１０１には、溝部１８が形成されている。本実施の形態では、溝部１８は、筒状部１０の内側面１０１に沿って形成された凹状の係止部であり、筒体６０に設けられた凸部６４を係止する。
【００３３】
筒状部１０は、例えば、金属材料を使用材料として含む。本実施の形態では、筒状部１０は、例えば、アルミダイカスト工程を経て形成される。
【００３４】
［１−２−２．基台］
基台２０は、図２〜図４に示されるように、光源３０が取り付けられる部材である。本実施の形態では、基台２０は、光源３０で発生した熱を放熱するヒートシンクとしても機能する。基台２０は、ねじなどにより、筒状部１０に固定される。
【００３５】
基台２０は、例えば、金属材料を使用材料として含む。本実施の形態では、基台２０は、例えばアルミダイカスト工程を経て形成される。
【００３６】
［１−２−３．光源］
光源３０は、発光モジュールであって、所定の光を放射状に出射する光源である。光源３０は、基台２０のｚ軸方向正側の端面に取り付けられる。
【００３７】
本実施の形態では、光源３０は、ＬＥＤ（Ｌｉｇｈｔ  Ｅｍｉｔｔｉｎｇ  Ｄｉｏｄｅ）を有するＬＥＤ光源（ＬＥＤモジュール）である。光源３０は、例えば、白色光を放出する白色ＬＥＤ光源である。
【００３８】
図３及び図４に示されるように、光源３０は、基板３０２と、発光部３０４とを備える。本実施の形態において、光源３０は、ＬＥＤが基板３０２に直接実装されたＣＯＢ（Ｃｈｉｐ  Ｏｎ  Ｂｏａｒｄ）構造である。
【００３９】
基板３０２は、ＬＥＤを実装するための実装基板であって、例えば、セラミックス基板、樹脂基板又はメタルベース基板等である。なお、基板３０２には、ＬＥＤを発光させるための直流電力を外部から受電するための一対の電極端子と、ＬＥＤ同士を電気的に接続するための所定のパターンの金属配線とが形成されている。また、基板３０２は、例えば平面視において矩形である平面を有する板状の形状を有し、基板３０２の底面（ｚ軸方向負側面）が基台２０に取り付けられる。
【００４０】
発光部３０４は、基板３０２に実装された複数のＬＥＤと、複数のＬＥＤを封止する封止部材とを有する。
【００４１】
ＬＥＤは、発光素子の一例であり、本実施の形態では、単色の可視光を発するベアチップである。ＬＥＤは、例えば、通電されれば青色光を発する青色ＬＥＤチップである。ＬＥＤは、例えば基板にマトリクス状に複数個配置されている。なお、ＬＥＤは、少なくとも１つ配置されていればよい。
【００４２】
封止部材としては、例えば透光性樹脂が用いられる。本実施の形態における封止部材は、ＬＥＤからの光を波長変換する波長変換材として蛍光体を含んでいる。封止部材は、例えば、シリコーン樹脂に蛍光体を分散させた蛍光体含有樹脂である。蛍光体粒子としては、ＬＥＤが青色光を発光する青色ＬＥＤチップである場合、白色光を得るために、例えばＹＡＧ系の黄色蛍光体を用いることができる。本実施の形態において、封止部材は、全てのＬＥＤを一括封止するように円形状に形成されているが、複数のＬＥＤを列ごとにライン状に封止してもよいし、各ＬＥＤを１つずつ個別に封止してもよい。
【００４３】
［１−２−４．取付部材］
図２〜図４に示される取付部材３２は、光源３０を基台２０に取り付けるための部材である。本実施の形態では、取付部材３２は、矩形枠状の部材であり、矩形の光源３０を取り囲むように基台２０上に取り付けられる。これにより、光軸Ｊに垂直な方向における光源３０の位置を規制する。
【００４４】
取付部材３２は、例えば、ポリブチレンテレフタレート（ＰＢＴ）、ポリカーボネートなどの樹脂材料を使用材料として含む。
【００４５】
［１−２−５．接続部材］
図２〜図４に示される接続部材３６は、光源３０の光軸Ｊ方向の位置を規制するための部材である。例えば、接続部材３６には、ねじを貫通させるための貫通孔が形成されており、当該貫通孔に挿入されたねじによって、接続部材３６が基台２０及び取付部材３２に固定される。その際、接続部材３６の一部が、光源３０を基台２０に向けて押さえることにより、光源３０の光軸Ｊ方向（ｚ軸方向）における位置を規制する。
【００４６】
また、接続部材３６は、光源３０へ電流を供給するリード線（不図示）が接続される部材でもある。本実施の形態に係る器具本体３は、光源３０のｘ軸方向両端部にそれぞれひとつずつ接続部材３６を備え、一方の接続部材３６に高電位側の電線が、他方の接続部材３６に低電位側の配線が、それぞれ接続される。接続部材３６には、光源３０へ電流を供給する電極（不図示）が設けられている。当該電極が光源３０に形成された電極端子に接続される。
【００４７】
接続部材３６の筐体は、例えば、ＰＢＴ、ポリカーボネートなどの樹脂材料を使用材料として含む。また、接続部材３６の電極は、銅などの導電性部材を使用材料として含む。
【００４８】
［１−２−６．反射部材］
図２〜図４に示される反射部材４０は、光源３０からの光の配光を制御する部材である。本実施の形態では、反射部材４０は、光源３０からの光を光学部材５０に向けて反射させる。反射部材４０は、光軸Ｊが貫通する開口が形成された略筒状の形状を有する。
【００４９】
反射部材４０は、光源３０からの光が入射される側（ｚ軸方向負側）の端部から、当該光が出射される側の端部に向かって内径が漸次大きくなるように構成された略筒状の形状を有する。反射部材４０の内側面において、光源３０からの光が反射される。
【００５０】
反射部材４０は、例えばＰＢＴなど硬質の白色樹脂材料を使用材料として含む。なお、反射部材４０は、内側面にアルミニウムなどの金属膜が設けられてもよい。
【００５１】
［１−２−７．光学部材］
図２〜図４に示される光学部材５０は、反射部材４０からの光が入射される透光性の部材である。光学部材５０は、反射部材４０から入射した光の配光を制御して出射する機能を有してもよい。本実施の形態では、光学部材５０はフレネルレンズである。光学部材５０は、反射部材４０からの光を集光し、略円形の断面を有する光を出射する。
【００５２】
光学部材５０は、透光性材料を用いて形成されており、例えばＰＭＭＡ（アクリル）、ポリカーボネートなどの透明樹脂材料、又は、ガラス材料などの透明材料を用いて形成することができる。
【００５３】
［１−２−８．筒体］
筒体６０は、図２〜図４に示されるように、筒状部１０の内側に配置される筒状の部材である。図３及び図５に示されるように、筒体６０は、筒状部１０の内側面１０１のうち、光学部材５０の光出射側（ｚ軸方向正側）の位置に配置される。本実施の形態では、筒体６０はその外側面に凸部６４を備える。筒体６０は、凸部６４が、筒状部１０の溝部１８に係止されることにより筒状部１０に保持される。
【００５４】
本実施の形態では、筒体６０の内側面（光軸Ｊ側の面）は、黒色のグレア抑制面である。このため、筒状部１０の内側面１０１のうち光学部材５０より光出射側の部分は、黒色のグレア抑制面である筒体６０の内側面で覆われる。これにより、筒状部１０の内側面１０１におけるグレアが抑制される。
【００５５】
筒体６０の内側面は、黒色のグレア抑制面であれば、特に限定されない。黒色のグレア抑制面は、例えば、黒色に塗装した面に艶消し処理を施すことにより実現できる。また、黒色のグレア抑制面は、黒色に塗装した面、又は、黒色の部材からなる面に、シボ加工を施すことによっても実現できる。さらに、筒体６０の内側面におけるグレアをさらに抑制するために、図５に示されるように、筒体６０の内側面に段差部６６（バッフル）を設けてもよい。
【００５６】
筒体６０は、図３に示されるように、係止部６２を備える。係止部６２は、光制御部材８を係止するための爪状部である。本実施の形態では、筒体６０の内側面のｚ軸方向負側端部付近に六つの係止部６２が設けられている。
【００５７】
筒体６０は、例えば、ポリカーボネート、ＰＢＴなどの樹脂材料を使用材料として含む。
【００５８】
［１−２−９．光制御部材］
図１〜図５に示される光制御部材８は、筒状部１０から光を出射する照明器具２に保持される部材であり、照明器具２から出射される光を制御する。本実施の形態では、光制御部材８は、筒状部１０におけるグレアを抑制するフードである。
【００５９】
図５に示されるように、光制御部材８は、筒状部１０の内側面１０１を覆う筒状の内筒部８１と、筒状部１０の外側面１０２を覆う筒状の外筒部８２とを備える。また、内筒部８１の端部と外筒部８２の端部とが接続される。本実施の形態では、内筒部８１のｚ軸方向正側の環状の端部全体と、外筒部８２のｚ軸方向正側の環状の端部全体とが、接続部８５において接続されている。すなわち、図３に示すように、内筒部８１と外筒部８２とが対向しているとともに、内筒部８１と外筒部８２との間に空間８３を設けるように接続部８５で接続されている。空間８３には後述する筒状部１０や筒体６０が挿入される。
【００６０】
内筒部８１は、筒状部１０の内側面１０１の少なくとも一部を覆う。本実施の形態では、内筒部８１は、筒状部１０の内側面１０１のうち、光出射側端部１２の近傍を覆う。より具体的には、内筒部８１は、図５に示されるように、筒状部１０の内側面１０１のうち、光出射側端部１２から、光学部材５０の光出射側面付近までを覆う。
【００６１】
本実施の形態では、内筒部８１は、図５に示されるように、筒体６０を介して筒状部１０に保持される。より具体的には、内筒部８１は、外側面８１２に凸状の被係止部８１６を備え、被係止部８１６が、筒体６０の爪状の係止部６２に係止される。これにより、内筒部８１は、筒状部１０に取り付けられた筒体６０を介して筒状部１０に安定的に保持される。
【００６２】
本実施の形態では、内筒部８１の内側面８１１は、筒体６０の内側面と同様に、黒色のグレア抑制面である。これにより、筒状部１０の内側面１０１の光学部材５０より光出射側の部分が黒色のグレア抑制面である内筒部８１の内側面８１１で覆われる。これにより、筒状部１０の内側面１０１におけるグレアが抑制される。さらに、本実施の形態では、内筒部８１の光出射側の端部と外筒部８２の光出射側の端部とが接続される。つまり、図５に示されるように、内筒部８１の内側面８１１は、筒状部１０の光出射側端部１２より、さらに光出射側（ｚ軸方向正側）まで延在する。これにより、筒体６０だけを用いる場合より、グレアカットオフアングルを増大させることができる。
【００６３】
内筒部８１の内側面８１１は、黒色系の表面を有することが好ましい。黒色系、例えば本実施形態のように黒色とすることでグレア抑制を行うことができる。黒色のグレア抑制面の構成としては、筒体６０の内側面と同様の構成を採用できる。また、本実施の形態では、図５に示されるように、内筒部８１は、内側面８１１に少なくとも一つの段差部８１４（バッフル）を備える。これにより、内側面８１１におけるグレアをさらに抑制することができる。
【００６４】
光制御部材８の外筒部８２は、図５に示されるように筒状部１０の外側面１０２の少なくとも一部を覆う。本実施の形態では、外筒部８２は、筒状部１０の外側面１０２のうち、光出射側端部１２の近傍を覆う。外筒部８２が筒状部１０の外側面１０２を覆う範囲は特に限定されないが、外筒部８２は、例えば、筒状部１０の外側面１０２のうち、光出射側端部１２から１０ｍｍ程度の範囲を覆う。これにより、筒状部１０の光出射側端部１２と内筒部８１との隙間は、外筒部８２で覆われる。このため、筒状部１０と光制御部材８の内筒部８１との間に光源３０からの光が進入しても、筒状部１０の光出射側端部１２付近から当該光が漏れることを抑制できる。
【００６５】
また、内筒部８１を筒状部１０の内部の所定の位置に取り付ける際に、外筒部８２は、内筒部８１を筒状部１０の中央に配置させるためのガイドとしても機能する。つまり、外筒部８２は、光制御部材８の位置決めのためにも利用できる。例えば、光制御部材８がエラストマーで形成される場合、内筒部８１を筒状部１０の内部に挿入する際に、内筒部８１が筒状部１０の内側面１０１又は筒体６０の内側面との摩擦力により変形又は位置ずれし得る。そのため内筒部８１を筒状部１０の中央に配置することが難しい。また内筒部８１の被係止部８１６を、複数の係止部６２に均等に係止させることが難しい。しかしながら、本実施の形態に係る光制御部材８によれば、外筒部８２によって、内筒部８１が適切な位置に配置されるようにガイドされる。このため、内筒部８１を筒状部１０の中央に適切に配置し、被係止部８１６を複数の係止部６２に均等に容易に係止させることができる。
【００６６】
本実施の形態では、外筒部８２の内径は、筒状部１０の光出射側端部１２における外径以下である。これにより、外筒部８２は、外筒部８２の内側面８２１と、筒状部１０の外側面１０２との間の摩擦力によって筒状部１０に保持される。したがって、本実施の形態では、外筒部８２と筒状部１０の外側面１０２に係止部などを形成する必要がないため、光制御部材８及び筒状部１０の構成を簡素化することができる。
【００６７】
本実施の形態に係る光制御部材８においては、上述のように内筒部８１及び外筒部８２は、それぞれ筒状部１０に保持される。これにより、光制御部材８が内筒部８１及び外筒部８２の一方だけで筒状部１０に保持される場合より、光制御部材８が筒状部１０に、より安定的に保持される。このため、光制御部材８が照明器具２から脱離することを抑制することができる。
【００６８】
また、本実施の形態では、光制御部材８の内筒部８１及び外筒部８２は、エラストマーを使用材料として含む。これにより、光制御部材８の内筒部８１及び外筒部８２を弾性変形させることができるため、光制御部材８を筒状部１０に容易に取り付けることができる。また、外筒部８２の内径を筒状部１０の光出射側端部１２における外径未満とすることができる。この場合、図５に示されるように、光制御部材８を筒状部１０に取り付けた際に、外筒部８２は、弾性変形した状態、すなわち筒状部１０を締め付ける状態で筒状部１０に保持される。このように、外筒部８２を弾性変形させることによって、筒状部１０の外側面１０２は、外筒部８２から弾性力を受ける。当該弾性力により、外筒部８２の内側面８２１と筒状部１０の外側面１０２との間の摩擦力が増大されるため、外筒部８２は筒状部１０に安定的に保持され、かつ密着して保持される。外筒部８２の内径は、例えば、筒状部１０の光出射側端部１２における外径以下であり、外径より極端に小さくならないように定められる。本実施の形態では、外筒部８２の内径は、当該外径より０．５ｍｍ程度小さい。
【００６９】
光制御部材８の内筒部８１と外筒部８２とが接続される部分である接続部８５の形状は、特に限定されない。本実施の形態では、接続部８５は、筒状の形状を有し、接続部８５の内側面８５１は、黒色のグレア抑制面である。これにより、光制御部材８によってグレアカットオフアングルをより一層増大させることができる。また、接続部８５の内径は、内筒部８１の内径以上である。これにより、接続部８５における照明器具２からの出射光の損失を抑制できる。本実施の形態では、図５に示されるように接続部８５の内側面８５１は、内筒部８１の内側面８１１と滑らかに接続される形状を有する。これにより、接続部８５における照明器具２からの出射光の損失を抑制し、かつ、光制御部材８の外観品質を向上させることができる。
【００７０】
また、図５に示される接続部８５の外側面８５２の形状は特に限定されない。本実施の形態では、外側面８５２は、外筒部８２の外側面８２２と滑らかに接続される形状を有する。これにより、光制御部材８の外観品質を向上させることができる。
【００７１】
また、本実施の形態では、内筒部８１と外筒部８２とが接続される接続部８５と、筒状部１０の光出射側端部１２との間に、空隙２００が形成される。これにより、光制御部材８を筒状部１０に取り付ける際に、内筒部８１及び外筒部８２を筒状部１０における所定の取り付け位置より、ｚ軸方向（光軸Ｊ方向）における空隙２００の長さだけ、ｚ軸方向負向きに押し込むことができる。これにより、内筒部８１及び外筒部８２を筒状部１０における所定の取り付け位置に取り付けることを容易化できる。例えば、内筒部８１及び外筒部８２がエラストマーによって形成されている場合には、内筒部８１及び外筒部８２と筒状部１０との間の摩擦力に起因して変形することがある。このため、内筒部８１及び外筒部８２のｚ軸方向負側の各端部を、筒状部１０の所定の取り付け位置まで移動させ難い。本実施の形態では、空隙２００が形成されることにより、内筒部８１及び外筒部８２がある程度変形しても、内筒部８１及び外筒部８２を空隙２００のｚ軸方向における長さだけ余分に移動させることができる。このため、内筒部８１及び外筒部８２のｚ軸方向負側の各端部を、筒状部１０の所定の取り付け位置まで比較的容易に移動させることができる。空隙２００のｚ軸方向における長さは、特に限定されない。当該長さは、筒状部１０、内筒部８１及び外筒部８２の形状及び材質に応じて適宜決定される。当該長さは、例えば１ｍｍ以上、１０ｍｍ以下である。また当該長さを２ｍｍ以上とすることで、より確実に上記効果を奏することができる。
【００７２】
光制御部材８を形成する材料は、特に限定されない。光制御部材８の内筒部８１及び外筒部８２は、例えば、エラストマーを使用材料として含む。これにより、光制御部材８を弾性変形させることができるため、光制御部材８を照明器具２に対して容易に着脱できる。また、例えば、光制御部材８をフードとして使用する場合には、光制御部材８は、非透光性の材料で形成される。また、光制御部材８は、例えば、エラストマーを用いて一体的に形成される。
【００７３】
［１−３．まとめ］
以上のように、本実施の形態に係る光制御部材８は、筒状部１０から光を出射する照明器具２に保持される光制御部材８であって、筒状部１０の内側面１０１を覆う筒状の内筒部８１と、筒状部１０の外側面１０２を覆う筒状の外筒部８２とを備え、内筒部８１と外筒部８２とが対向するとともに、内筒部８１の端部と外筒部８２の端部とが接続された接続部８５を有し、対向して設けられた内筒部８１と外筒部８２との間に空間８３が設けられていることを特徴とする。
【００７４】
これにより、光制御部材８が照明器具２の筒状部１０に取り付けられる場合に、筒状部１０の光出射側端部１２と内筒部８１との隙間は、外筒部８２で覆われる。このため、筒状部１０と光制御部材８の内筒部８１との間に光源３０からの光が進入しても、筒状部１０の光出射側端部１２付近から当該光が漏れることを抑制できる。また、外筒部８２によって、内筒部８１を筒状部１０内の適切な位置にガイドすることができるため、光制御部材８を筒状部１０に取り付ける際の作業を容易化できる。
【００７５】
また、光制御部材８において、内筒部８１及び外筒部８２は、空間８３に筒状部１０が挿入されて照明器具２に保持される。
【００７６】
これにより、光制御部材８が照明器具２に安定的に保持されるため、光制御部材８が照明器具２から脱離することを抑制できる。
【００７７】
また、光制御部材８において、内筒部８１及び外筒部８２は、エラストマーを使用材料として含む。
【００７８】
これにより、光制御部材８の内筒部８１及び外筒部８２を弾性変形させることができるため、光制御部材８を照明器具２に対して容易に着脱できる。
【００７９】
また、光制御部材８において、内筒部８１の内側面８１１は、黒色系の表面を有する。
【００８０】
これにより、光制御部材８を照明器具２の筒状部１０に取り付けた場合に、筒状部１０の内側面１０１におけるグレアを抑制できる。
【００８１】
また、光制御部材８において、内筒部８１は、内側面８１１に段差部８１４を備える。
【００８２】
これにより、光制御部材８を照明器具２の筒状部１０に取り付けた場合に、筒状部１０の内側面１０１におけるグレアを抑制できる。
【００８３】
また、本実施の形態に係る照明装置１は、光制御部材８と、照明器具２とを備える。
【００８４】
これにより、筒状部１０の光出射側端部１２と内筒部８１との隙間は、外筒部８２で覆われる。このため、筒状部１０と光制御部材８の内筒部８１との間に光源３０からの光が進入しても、筒状部１０の光出射側端部１２付近から当該光が漏れることを抑制できる。また、外筒部８２によって、内筒部８１を筒状部１０内の適切な位置にガイドすることができるため、光制御部材８を筒状部１０に取り付ける際の作業を容易化できる。
【００８５】
また、照明装置１において、内筒部８１及び外筒部８２の少なくとも一方は、筒状部１０に係止されるための被係止部８１６を備え、照明器具２は、被係止部８１６を係止する係止部６２を備える。
【００８６】
これにより、光制御部材８は、筒状部１０に安定的に保持されるため、光制御部材８が照明器具２から脱離することをより一層抑制できる。
【００８７】
また、照明装置１において、外筒部８２は、摩擦力によって筒状部１０に保持される。
【００８８】
これにより、外筒部８２及び筒状部１０の外側面１０２に係止部などの構成を設けることなく、外筒部８２を筒状部１０に保持させることができる。このため、光制御部材８及び照明器具２の構成を簡素化できる。
【００８９】
また、照明装置１において、外筒部８２の内径は、筒状部１０の光出射側端部１２における外径以下である。
【００９０】
これにより、筒状部１０の外側面１０２と外筒部８２の内側面８２１との間の摩擦力を増大させることができる。このため、外筒部８２を筒状部１０に安定的に保持させることができる。
【００９１】
また、照明装置１において、内筒部８１と外筒部８２とが接続される接続部８５と、筒状部１０の光出射側端部１２との間に、空隙２００が形成される。
【００９２】
これにより、光制御部材８の照明器具２への取付作業を容易化できる。
【００９３】
（実施の形態２）
次に、実施の形態２に係る照明装置について説明する。本実施の形態に係る照明装置は、光制御部材をより安定的に照明器具に保持させるための弾性部材をさらに備える点において、実施の形態１に係る照明装置１と相違する。以下、本実施の形態に係る照明装置と実施の形態１に係る照明装置１との相違点を中心に図面を用いて説明する。
【００９４】
図６は、本実施の形態に係る照明装置１ａの一部分解斜視図である。
【００９５】
図７は、本実施の形態に係る照明装置１ａの断面斜視図である。図７では、光軸Ｊを含み、ｚｘ平面に平行な平面による断面の斜視図が示されている。
【００９６】
図６に示されるように、本実施の形態に係る照明装置１ａは、照明器具２と、光制御部材８と、弾性部材９０とを備える。つまり、照明装置１ａは、実施の形態１に係る照明装置１に加えて、弾性部材９０をさらに備える。
【００９７】
弾性部材９０は、略Ｃ字型の形状を有する。弾性部材９０は、例えば、金属材料などの弾性材料を使用材料として含み、弾性変形し得る。また、弾性部材９０は、図６に示されるように把持部９２及び凸部９４を備える。
【００９８】
把持部９２は、弾性部材９０を変形させるための力を加える部分である。ユーザは、二つの把持部９２に力を加えることにより、弾性部材９０を弾性変形させることができる。これにより、二つの把持部９２を接近させることにより、弾性部材９０の寸法（径）を縮小させることができる。
【００９９】
凸部９４は、弾性部材９０の内側に突出した部分である。凸部９４は、ユーザが弾性部材９０を光制御部材８の内部に挿入する際に、弾性部材９０の位置を調整するために用いる部分である。ユーザは指などで凸部９４の位置を移動させることにより、弾性部材９０を所定の位置に移動させることができる。本実施の形態では、弾性部材９０は三つの凸部９４を備える。
【０１００】
弾性部材９０は、図６に示されるように、光制御部材８を照明器具２に取り付けた状態で、光制御部材８のｚ軸方向正側端部から、ｚ軸方向負向きに光制御部材８の内部に挿入される。この際、弾性部材９０には、その寸法が縮小するように力が加えられ、弾性変形された状態で、光制御部材８の内部に挿入される。そして、光制御部材８の内部の所定の位置において、弾性部材９０に加えられた力を解除することで、その寸法を拡大させる。つまり、図７に示されるように、光制御部材８の内筒部８１の所定の位置に配置されて、弾性部材９０に内筒部８１の内側から外側向きに押圧させる。本実施の形態では、弾性部材９０は、力が加えられた状態で内筒部８１の取付部８９に配置され、弾性変形した状態が維持される。これにより、弾性部材９０が、内筒部８１を内側から外側向きに押圧する。
【０１０１】
本実施の形態では、図７に示されるように、内筒部８１の取付部８９の外側面には、被係止部８１６が配置されている。このため、弾性部材９０により、被係止部８１６を係止部６２に押圧できる。これにより、係止部６２によって被係止部８１６をより安定的に係止できる。したがって、本実施の形態では、光制御部材８が照明器具２から脱離することをより一層抑制できる。
【０１０２】
以上のように、本実施の形態に係る照明装置１ａにおいて、内筒部８１の内側面８１１に配置され、内筒部８１の内側面８１１を内筒部８１の内側から外側向きに押圧する弾性部材９０をさらに備える。
【０１０３】
これにより、内筒部８１を照明器具２により安定的に保持させることができる。したがって、本実施の形態に係る照明装置１ａでは、光制御部材８が照明器具２から脱離することをより一層抑制できる。
【０１０４】
（変形例など）
以上、本発明に係る光制御部材８及び各照明装置について、実施の形態に基づいて説明したが、本発明は、上記実施の形態に限定されるものではない。
【０１０５】
例えば、上記実施の形態では、光制御部材８の内筒部８１及び外筒部８２の両方が照明器具２に保持されたが、内筒部８１及び外筒部８２の両方が保持される構成に限定されない。光制御部材８は、照明器具２に保持されればよく、例えば、内筒部８１又は外筒部８２が照明器具２に保持される構成を採用し得る。
【０１０６】
また、上記実施の形態では、光制御部材８の外筒部８２は、筒状部１０に摩擦力によって保持されたが、外筒部８２の保持構成はこれに限定されない。例えば、外筒部８２に被係止部が形成され、筒状部１０の外側面１０２に当該被係止部を係止する係止部が形成されてもよい。これにより、外筒部８２を筒状部１０により安定的に保持させることができる。
【０１０７】
また、光制御部材８の一例として、フードを示したが、光制御部材は、フードに限定されない。例えば、光制御部材の他の例として、ルーバーなどを挙げることができる。
【０１０８】
また、筒状部１０の形状は、略円筒状に限定されない。例えば、筒状部１０は、略多角形の断面を有する筒状の形状を有してもよい。
【０１０９】
また、照明は、スポットライトに限定されない。例えば、照明装置は、ユニバーサルダウンライトでもよい。
【０１１０】
また、上記実施の形態では、光制御部材８は着脱自在であったが、光制御部材の構成はこれに限定されない。例えば、光制御部材は、エラストマー以外の硬質の樹脂で形成されることにより、照明器具から容易に離脱しない構成としてもよい。
【０１１１】
また、上記実施の形態では、照明器具２は、筒体６０を備えたが、照明器具２は筒体６０を備えなくてもよい。筒体６０を備えない場合は、筒状部１０の内側面１０１に、光制御部材８の被係止部８１６を係止する係止部を設けることにより、筒状部１０が、光制御部材８の内筒部８１を直接保持することができる。
【０１１２】
また、上記実施の形態においては、光源３０において、ＣＯＢ型ＬＥＤを用いたが、他の発光素子を用いてもよい。例えば、ＳＭＤ（Ｓｕｒｆａｃｅ  Ｍｏｕｎｔ  Ｄｅｖｉｃｅ）型ＬＥＤを用いてもよい。また、有機ＥＬ（Ｅｌｅｃｔｒｏ  Ｌｕｍｉｎｅｓｃｅｎｃｅ）素子など他の固体発光素子、又は、固体発光素子以外の他の光源を用いてもよい。
【０１１３】
その他、各実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【０１１４】
１、１ａ  照明装置
２  照明器具
８  光制御部材
１０  筒状部
１２  光出射側端部
６２  係止部
８１４  段差部
８１  内筒部
８２  外筒部
８３  空間
８５  接続部
９０  弾性部材
１０１、８１１  内側面
１０２  外側面
２００  空隙
８１６  被係止部
【図１】
2017084729.tif 000003
【図２】
2017084729.tif 000004
【図３】
2017084729.tif 000005
【図４】
2017084729.tif 000006
【図５】
2017084729.tif 000007
【図６】
2017084729.tif 000008
【図７】
2017084729.tif 000009